(57)【要約】【課題】ガイドレールに繋ぎ目が存在しても、制御装置の取付け位置が制約されないエレベーター昇降路内の器具取付け装置を提供する。【解決手段】昇降路内に立設されたガイドレール１に、複数の平板状の取付け腕２が所定の間隔を有して取付けられている。この複数の取付け腕２は、ガイドレール１と交差する方向に延長し、固定して取付けられている。取付け腕２の先端部には、制御装置３を取付けるブラケット５がガイドレール１と所定の間隔を有して取付けられており、ガイドレール１に繋ぎ目が有る場合には、ガイドレール１同士の接合に用いる目板４が設けられている。【選択図】図１
2011001182.tif 000002
【特許請求の範囲】
【請求項１】
エレベーターの昇降路内に設置される器具を取付けるエレベーター昇降路内の器具取付け装置であって、
前記昇降路内に立設されたガイドレールと、
前記ガイドレールに取付けられ、前記ガイドレールと交差する方向に延長する取付け腕と、
前記ガイドレールと所定の間隔を有して前記取付け腕に取付けられるとともに、前記器具を取付けるブラケットと、
を備えたことを特徴とするエレベーター昇降路内の器具取付け装置。
【請求項２】
前記器具は、前記エレベーターを制御する制御装置であり、前記制御装置の内部ユニットを取付ける固定部材を前記ブラケットに取付けたことを特徴とする請求項１に記載のエレベーター昇降路内の器具取付け装置。
【発明の詳細な説明】
【技術分野】
【０００１】
この発明は、エレベーターの昇降路内に設置される器具を取付けるエレベーター昇降路内の器具取付け装置に関するものである。
【背景技術】
【０００２】
一般に、エレベーター昇降路内には制御装置、あるいは調速器ロープを保護するダクト等の多くの機器が取付けられている。例えば、特許文献１には、（ア）エレベーターの昇降路内に立設されたガイドレールに装着された取付け腕で、（イ）該取付け腕は、ガイドレールの底部に２組のクリップ等で装着され、（ウ）該２組のクリップは、下方により大きな荷重のかかる側のクリップは水平線に対し他の側のクリップより下側に、すなわち水平線に対し千鳥がけに配置され、（エ）ガイドレールに取付け腕を装着するクリップ内側の間隔がガイドレールの幅より若干大きく、（オ）取付け腕に、クリップを取付けるボルト孔が穿設された調速器ロープ保護ダクトの取付け装置が開示されている。
【０００３】
前記特許文献１に開示された調速器ロープ保護ダクトの取付け装置によれば、取付け腕に装着されたダクトの重量による回転モーメントにより、クリップがガイドレールの底部を加圧するので、かごの振動などによりボルトが多少緩んでも、取付け腕がずれ落ちる恐れが少ない特徴がある。なお、前記特許文献１には、この取付け装置が調速器ロープ保護ダクトの取付けに限るものではなく、広く一般機器に及ぶことも開示されている。
【先行技術文献】
【特許文献】
【０００４】
【特許文献１】特開平５−２７０７６７号公報
【発明の概要】
【発明が解決しようとする課題】
【０００５】
ところで、従来、機械室レスエレベーターの制御装置を昇降路内に設置する場合、前記特許文献１による開示技術のように、制御装置をガイドレール等のエレベーターの機材に取付け腕を固定して取付けるか、昇降路壁へ取付け腕を直接固定し、その取付け腕へ各々の制御装置を取付けることで設置している。
【０００６】
この場合、制御装置は、各々の取付け腕に取付けられているため、制御装置同士の設置においては、ある程度の間隔を必要とし、且つ取付け腕の取付け位置が、ガイドレールなどの繋ぎ目と重なる場合、その位置では取付け腕を固定することができず、繋ぎ目を避けて取付けられ、この取付け腕の取付け状況によって制御装置の取付け位置を上下させる必要がある。
【０００７】
図７及び図８は、前記問題点を補足的に説明する図で、昇降路内に立設されたガイドレール１に、複数の平板状の取付け腕２が取付けられている。この複数の取付け腕２は、ガイドレール１と交差する方向に延長して固定して取付けられており、取付け腕２の相互間に制御装置３が取付けられている。なお、図７（ａ）は平面図を示し、図７（ｂ）は側面図を示している。このように制御装置３を取付ける場合に、図７（ｂ）に示すように、ガイドレール１に繋ぎ目が無い場合は良いが、図８の側面図に示すように、ガイドレール１に繋ぎ目が有る場合には、ガイドレール１の繋ぎ目が目板４により保持されるので、制御装置３同士を連結して並べる場合、ガイドレール１の目板４の位置と取付け腕２とが重なり、制御装置３の取付け位置を目板４と干渉しない位置へ変更する必要がある。
【０００８】
このように、前記特許文献１の開示技術によるエレベーター昇降路内の器具取付け装置においては、ガイドレール１の繋ぎ目を保持する目板４の位置と、制御装置３を固定する取付け腕２のガイドレール１への取付け位置が干渉する場合、制御装置３をその位置で取付けることができず、繋ぎ目を避けるために取付け位置を上下に変更させる制約がある。
【０００９】
この発明は、前記従来技術の課題を解決するためになされたもので、ガイドレールに繋ぎ目が存在しても、制御装置の取付け位置が制約されないエレベーター昇降路内の器具取付け装置を提供するものである。
【課題を解決するための手段】
【００１０】
この発明に係るエレベーター昇降路内の器具取付け装置は、エレベーターの昇降路内に設置される器具を取付けるエレベーター昇降路内の器具取付け装置であって、前記昇降路内に立設されたガイドレールと、前記ガイドレールに取付けられ、前記ガイドレールと交差する方向に延長する取付け腕と、前記ガイドレールと所定の間隔を有して前記取付け腕に取付けられるとともに、前記器具を取付けるブラケットと、を備えたものである。
【発明の効果】
【００１１】
この発明に係るエレベーター昇降路内の器具取付け装置によれば、ガイドレールに繋ぎ目が存在しても、制御装置の取付け位置が制約されないエレベーター昇降路内の器具取付け装置を提供することができる。
【図面の簡単な説明】
【００１２】
【図１】この発明の実施の形態１に係るエレベーター昇降路内の器具取付け装置を示す図である。
【図２】この発明の実施の形態１に係るエレベーター昇降路内の器具取付け装置を示す図である。
【図３】この発明の実施の形態１に係るエレベーター昇降路内の器具取付け装置を示す図である。
【図４】この発明の実施の形態２に係るエレベーター昇降路内の器具取付け装置を示す図である。
【図５】この発明の実施の形態２に係るエレベーター昇降路内の器具取付け装置により取付けられる制御装置の内部構成の一例を示す斜視図である。
【図６】この発明の実施の形態２に係るエレベーター昇降路内の器具取付け装置による制御装置の内部ユニットを取付ける固定部材の構成例を示す斜視図である。
【図７】従来のエレベーター昇降路内の器具取付け装置を説明図である。
【図８】従来のエレベーター昇降路内の器具取付け装置を説明図である。
【発明を実施するための形態】
【００１３】
以下、添付の図面を参照して、この発明に係るエレベーター昇降路内の器具取付け装置について好適な実施の形態を説明する。なお、この実施の形態によりこの発明が限定されるものではない。
【００１４】
実施の形態１．
図１乃至図３は、この発明の実施の形態１に係るエレベーター昇降路内の器具取付け装置を示す図である。図１乃至図３において、昇降路内に立設されたガイドレール１に、複数の平板状の取付け腕２が所定の間隔を有して取付けられている。この複数の取付け腕２は、ガイドレール１と交差する方向に延長し、固定して取付けられており、取付け腕２を介してガイドレール１に取付けられる制御装置３を設置位置まで渡す機能を有している。なお、図１は繋ぎ目の無いガイドレール１に制御装置３を所定の間隔を有して取付けた状態を示し、（ａ）は平面図、（ｂ）は側面図である。そして、図２は繋ぎ目の有るガイドレール１に制御装置３を所定の間隔を得て取付けた状態の側面図を示している。また、図３は、繋ぎ目の無いガイドレール１に制御装置３を連結して取付けた状態を示し、（ａ）は平面図、（ｂ）は側面図である。
【００１５】
図１乃至図３に示すように、取付け腕２の例えば先端部には、制御装置３を取付けるブラケット５がガイドレール１と所定の間隔を有して取付けられており、図２に示すようにガイドレール１に繋ぎ目が有る場合には、ガイドレール１同士の接合に用いる目板４が設けられている。なお、取付け腕２とブラケット５との取付けがどの位置でも出来るように、ブラケット５には、複数個の固定穴（図示せず）が設けられている。
【００１６】
実施の形態１に係るエレベーター昇降路内の器具取付け装置は、前記のように、ガイドレール１に、このガイドレール１と交差する方向に延長する取付け腕２を取付けるとともに、取付け腕２の先端部にブラケット５を固定して取付け、このブラケット５に制御装置３を取付ける構成としたので、ガイドレール１の結合部が、制御装置３の取付け位置に干渉する場合においても、取付け腕２の取付け位置を変更することにより、制御装置３の取付け位置を変更することなく設置できる。また、制御装置３を連結して設置することにより、複数の制御装置３を一体化すことも可能となる。
【００１７】
なお、ガイドレール１は、かご用でも、あるいは釣合錘用でも同様の効果があることは明らかであり、また、取付け腕２の数量は、図示のように３本にとらわれないことも明らかである。更に、上下に結合させる制御装置３の数量も図示した数量にとらわれないことは明らかである。
【００１８】
また、取付け腕２の形状も平板状以外の形状で構成されていてもよく、取付け腕２とブラケット５の取付け状態も図に表した方法のみにとらわれず、例えば、図１及び図２において、ガイドレール１を中心にして左右方向に取付け腕２をガイドレール１に取付け、その両端部に制御装置３を取付ける構成にしてもよい。
【００１９】
実施の形態２．
次に、実施の形態２に係るエレベーター昇降路内の器具取付け装置について説明する。図４は、実施の形態２に係るエレベーター昇降路内の器具取付け装置を示し、制御装置の内部ユニットの取付け方法を説明するものである。図４において、ブラケット５には固定部材６、あるいは固定部材６と異なる形状の固定部材７が取付けられている。固定部材６、あるいは固定部材７は、制御装置３の内部に収納されており、且つ制御装置３の内部ユニット８の取付けを制御装置３のみではなく、ブラケット５へ直接行うことを可能にするものである。なお、その他の構成については、実施の形態１と同様であるので、同一符号を付してその説明を省略する。
【００２０】
図５は、制御装置３の内部構成の一例を示す斜視図であり、図６（ａ）〜（ｃ）は、固定部材の構成例を示す斜視図である。なお、図５及び図６の符号９は、固定部材６、あるいは固定部材７と異なる形状の固定部材を示し、符号１０は、それぞれの固定部材６、７、９をブラケット５へ取付ける固定穴を示している。
【００２１】
なお、本実施の形態では、図５あるいは図６に示すように、固定部材６、９は、Ｌ形状に折曲された平板状の金属片２枚を、一方の金属片の折曲面に他方の金属面の折曲端面を接合する形状に構成し、固定部材７は、Ｌ形状に折曲された平板状の金属片２枚を、一方の金属片の折曲面に他方の金属面の折曲面を接合する形状に構成したが、固定部材６、７、９は、任意の形状の固定部材を用いればよい。
【００２２】
実施の形態２は、前記のように構成されており、制御装置３の内部ユニット８は、固定部材６を介して制御装置３へ取付けられるのみでなく、固定部材６を用いて直接ブラケット５へ取付けることが可能となる。従って、内部ユニット８をブラケット５へ取付けることにより、内部ユニット８を保持するための強度を制御装置３に具備せず構成することが可能となる。これにより、制御装置３の構造を簡略化することが可能になり、また、制御装置３を連結させる構造が容易となる。なお、実施の形態２が、実施の形態１と同様の効果を有することは勿論である。
【符号の説明】
【００２３】
１  ガイドレール
２  取付け腕
３  制御装置
４  目板
５  ブラケット
６、７、９  固定部材
８  内部ユニット
１０  固定穴
【図１】
2011001182.tif 000003
【図２】
2011001182.tif 000004
【図３】
2011001182.tif 000005
【図４】
2011001182.tif 000006
【図５】
2011001182.tif 000007
【図６】
2011001182.tif 000008
【図７】
2011001182.tif 000009
【図８】
2011001182.tif 000010